(57)【要約】噴霧乾燥式吸収器（８）は、熱い処理ガスから気体汚染物質を取り除くものであって、噴霧乾燥室（１２）と、この噴霧乾燥室（１２）の天井部（２２）に取り付けられている、複数の分散器（１４，１６，１８，２０）とを包含し、これらの分散器（１４，１６，１８，２０）の各々は熱い処理ガスの一部分をそれぞれの噴霧器（２４）のまわりに分散せしめる。前記複数の分散器（１４，１６，１８，２０）は、噴霧乾燥室（１２）の天井部（２２）の中心部（Ｃ）に配置されている、１つの中央の分散器（２０）と、この中央の分散器（２０）を取り囲んでいる、少なくとも３つの外周の分散器（１４，１６，１８）とから成る。前記外周の分散器（１４，１６，１８）の各々は、噴霧乾燥室（１２）の外周部（Ｐ）から実質的に同じ距離（Ｄ）を置いて配置されている。
2011527232.tif 000002
【特許請求の範囲】
【請求項１】
熱い処理ガスから気体汚染物質を取り除く噴霧乾燥式吸収器（８）であって、噴霧乾燥室（１２）と、この噴霧乾燥室（１２）の天井部（２２）に取り付けられている、複数の分散器（１４，１６，１８，２０）とを包含し、これらの分散器（１４，１６，１８，２０）の各々が吸収液を噴霧する、それぞれの噴霧器（２４）のまわりに熱い処理ガスの一部分を分散させ、また、これらの分散器（１４，１６，１８，２０）の各々には、前記噴霧乾燥室（１２）の頂部から見たときに、それぞれ熱い処理ガスの一部分を前記噴霧器（２４）のまわりに回転運動させる流れ指向装置（２６，２８，３０，３２）が設けられている噴霧乾燥式吸収器（８）において、前記複数の分散器（１４，１６，１８，２０）が、前記噴霧乾燥室（１２）の天井部（２２）の中心部に配置されている、１つの中央の分散器（２０）と、この中央の分散器（２０）を取り囲んでいる、少なくとも３つの外周の分散器（１４，１６，１８）とから成り、前記外周の分散器（１４，１６，１８）の各々が前記噴霧乾燥室（１２）の外周部（Ｐ）から実質的に同じ距離（Ｄ）を置いて配置されていることを特徴とする噴霧乾燥式吸収器。
【請求項２】
請求項１記載の噴霧乾燥式吸収器において、前記複数の分散器（１４，１６，１８，２０）が３つ〜７つの外周の分散器（１４，１６，１８）と、１つの中央の分散器（２０）とから成っていることを特徴とする噴霧乾燥式吸収器。
【請求項３】
請求項１又は２記載の噴霧乾燥式吸収器（３０８）において，前記中央の分散器（３２０）の流れ指向装置が、この中央の分散器（３２０）を通過する熱い処理ガスの一部分を、前記外周の分散器（３１４，３１５，３１６，３１７，３１８）の各々により分散される熱い処理ガスのそれぞれの一部分の回転運動の方向（ＦＣ）とは反対である方向（ＦＣＣ）へ回転運動させることを特徴とする噴霧乾燥式吸収器。
【請求項４】
噴霧乾燥室（１２）と、この噴霧乾燥室（１２）の天井部（２２）に取り付けられている、複数の分散器（１４，１６，１８，２０）とを包含する噴霧乾燥式吸収器（８）であって、前記複数の分散器（１４，１６，１８，２０）の各々が吸収液を噴霧する、それぞれの噴霧器（２４）のまわりに熱い処理ガスの一部分を分散させ、また、前記複数の分散器（１４，１６，１８，２０）の各々には、前記噴霧乾燥室（１２）の頂部から見たときに、それぞれ熱い処理ガスの一部分を前記噴霧器（２４）のまわりに回転運動させる流れ指向装置（２６，２８，３０，３２）が設けられている噴霧乾燥式吸収器（８）により、熱い処理ガスから気体汚染物質を取り除く方法において、前記複数の分散器（１４，１６，１８，２０）が、前記噴霧乾燥室（１２）の天井部（２２）の中心部に配置されている、１つの中央の分散器（２０）と、この中央の分散器（２０）を取り囲んでいる、少なくとも３つの外周の分散器（１４，１６，１８）とから成り、前記外周の分散器（１４，１６，１８）の各々が前記噴霧乾燥室（１２）の外周部（Ｐ）から実質的に同じ距離（Ｄ）を置いて配置され、熱い処理ガスの一部分を前記中央の分散器（２０）を通過させると共に、熱い処理ガスの他の一部分を前記外周の分散器（１４，１６，１８）の各々を通過させるようにしたことを特徴とする方法。
【請求項５】
請求項４記載の方法において、前記複数の分散器（１４，１６，１８，２０）が３つ〜７つの外周の分散器（１４，１６，１８）と、１つの中央の分散器（２０）とから成っていることを特徴とする方法。
【請求項６】
請求項４又は５記載の方法において、更に、前記中央の分散器（３２０）を通過する熱い処理ガスの一部分を、前記外周の分散器（３１４，３１５，３１６，３１７，３１８）の各々により分散される熱い処理ガスの他のそれぞれの一部分の回転運動の方向（ＦＣ）とは反対である方向（ＦＣＣ）へ回転運動させることを特徴とする方法。
【発明の詳細な説明】
【技術分野】
【０００１】
本発明は、熱い処理ガスから気体汚染物質を取り除く噴霧乾燥式吸収器であって、噴霧乾燥室と、この噴霧乾燥室の天井部に取り付けられている、複数の分散器とを包含し、これらの各分散器が吸収液を噴霧する、それぞれの噴霧器のまわりに熱い処理ガスの一部分を分散させ、また、これらの各分散器には、前記噴霧乾燥室の頂部から見たときに、それぞれ熱い処理ガスの一部分を前記噴霧器のまわりに回転運動させる流れ指向装置が設けられている噴霧乾燥式吸収器に関する。
【０００２】
本発明は、また、噴霧乾燥式吸収器により熱い処理ガスから気体汚染物質を取り除く方法に関する。
【背景技術】
【０００３】
燃焼プラント、例えば発電プラントにおける燃料、例えば石炭，石油，泥炭，廃棄物などの燃焼においては、熱い処理ガスが発生し、このような熱い処理ガスは、しばしば、“煙道ガス”と称され、酸性ガス、例えば二酸化硫黄（ＳＯ２）を含む汚染物質を含有する。煙道ガスが周囲空気中へ放出される前に、煙道ガスから酸性ガスをできるだけ多く取り除くことが必要である。噴霧乾燥式吸収器が、煙道ガスから、二酸化硫黄から成る酸性ガスを取り除くために用いることができる。
【０００４】
噴霧乾燥式吸収器の一例が、米国特許第４，７５５，３６６号明細書に見ることができる。この噴霧乾燥式吸収器は、噴霧ホイールを有する回転式噴霧器が設けられている室を包含する。回転式噴霧器には、吸収剤、例えば石灰石から成り、時々“スラリー”と称されている水性懸濁液が供給される。噴霧ホイールは、高速で回転して、水性懸濁液を噴霧し、これにより、非常に小さな液滴が形成される。これらの小さな液滴は、煙道ガスから酸性ガス成分を吸収し、それから、噴霧乾燥式吸収器の乾燥作用により固体残留物を形成する。
【０００５】
上記米国特許第４，７５５，３６６号明細書の噴霧乾燥式吸収器の問題は、煙道ガス流量に関しての単一の噴霧乾燥式吸収器のキャパシティを増加せしめることが困難であることである。この困難の理由の１つは、非常に高速の噴霧ホイールがその寸法を増大せしめるという機械的弊害を生じせしめることである。
【０００６】
また、米国特許第４，５１９，９９０号明細書は、３つの回転式噴霧器が１つの噴霧乾燥式吸収器の天井部に設置されている噴霧乾燥式吸収器を示している。上記米国特許第４，５１９，９９０号明細書において、１つの噴霧乾燥式吸収器に３つの回転式噴霧器を設置することは、堆積物が吸収器の壁に生成されるという問題があることがわかっている。この問題を解決する試みとして、上記米国特許第４，５１９，９９０号明細書に記載されている方法は、煙道ガスのバイパス部分を噴霧乾燥式吸収器の外周部に設置した複数の噴霧口を通して導入することを提案している。
【０００７】
上記米国特許第４，５１９，９９０号明細書に記載されている方法は、しかしながら、かなり複雑であり、また、煙道ガスのバイパス部分が噴霧した懸濁液と非常に良好に接触しないので、煙道ガスのバイパス部分の不十分な清浄が生じる。
【発明の概要】
【０００８】
本発明の目的は、噴霧乾燥式吸収器の壁への堆積物の生成を有効な手段でもって減少することができる噴霧乾燥式吸収器を提供することにある。
【０００９】
この目的は、熱い処理ガスから気体汚染物質を取り除く噴霧乾燥式吸収器であって、噴霧乾燥室と、この噴霧乾燥室の天井部に取り付けられている、複数の分散器とを包含し、これらの分散器の各々が吸収液を噴霧する、それぞれの噴霧器のまわりに熱い処理ガスの一部分を分散させ、また、これらの分散器の各々には、前記噴霧乾燥室の頂部から見たときに、それぞれ熱い処理ガスの一部分を前記噴霧器のまわりに回転運動させる流れ指向装置が設けられている噴霧乾燥式吸収器において、前記複数の分散器が前記噴霧乾燥室の天井部の中心部に配置されている、１つの中央の分散器と、この中央の分散器を取り囲んでいる、少なくとも３つの外周の分散器とから成り、前記外周の分散器の各々が前記噴霧乾燥室の外周部から実質的に同じ距離を置いて配置されていることを特徴とする噴霧乾燥式吸収器により達成される。
【００１０】
この噴霧乾燥式吸収器の利点は、複数の分散器が互いに悪影響を及ぼしあうことなしに、複数の分散器を１つの、すなわち、同一の噴霧乾燥室内に配置することができることである。この確かな効果のひとつの理由は、中央の分散器が噴霧乾燥室内における処理ガスの流れを安定せしめ、その結果、処理ガスの流れは長い時間の間その流れパターンを変えないことにあることは明らかである。更に、分散器により生じる処理ガスの回転運動はその運動時間が長く持続されることは明らかであり、その結果、吸収液の液滴と処理ガスとの接触が改善され、このような改善された接触により、また、気体汚染物質の取り除きが改善されると共に、液滴の乾燥時間が短縮される。したがって、この噴霧乾燥式吸収器により、１つの噴霧乾燥式吸収器の、処理ガス流量に関する及び吸収液流量に関するキャパシティを増大させることができ、それでもなお、液滴の効率の良い乾燥、気体汚染物質の効率の良い取り除き及び噴霧乾燥式吸収器の壁への固体の限定した堆積を維持することができる。
【００１１】
本発明の一実施形態によれば、前記複数の分散器は、３つ〜７つの外周の分散器と、１つの中央の分散器とから成る。このような数の分散器は、投資コスト及び気体汚染物の取り除きの両方に関して有効な噴霧乾燥式吸収器を提供することがわかっている。
【００１２】
本発明の他の目的は、噴霧乾燥式吸収器により熱い処理ガスから気体汚染物質を取り除く方法であって、噴霧乾燥式吸収器の壁への堆積物の生成を有効な手段でもって減少することができる方法を提供することにある。
【００１３】
この目的は、噴霧乾燥室と、この噴霧乾燥室の天井部に取り付けられている、複数の分散器とを包含する噴霧乾燥式吸収器であって、前記複数の分散器の各々が吸収液を噴霧する、それぞれの噴霧器のまわりに熱い処理ガスの一部分を分散させ、また、前記複数の分散器の各々には、前記噴霧乾燥室の頂部から見たときに、それぞれ熱い処理ガスの一部分を前記噴霧器のまわりに回転運動させる流れ指向装置が設けられている噴霧乾燥式吸収器により、熱い処理ガスから気体汚染物質を取り除く方法において、前記複数の分散器が、前記噴霧乾燥室の天井部の中心部に配置されている、１つの中央の分散器と、この中央の分散器を取り囲んでいる、少なくとも３つの外周の分散器とから成り、前記外周の分散器の各々が前記噴霧乾燥室の外周部から実質的に同じ距離を置いて配置され、熱い処理ガスの一部分を前記中央の分散器を通過させると共に、熱い処理ガスの他の一部分を前記外周の分散器の各々を通過させるようにしたことを特徴とする方法により達成される。
【００１４】
この方法の利点は、好ましくない作用、例えば、大きな液滴の形成、回転運動の減少などが発生する危険が、２つの分散器の流れフィールドが互いに相互作用するように隣接して配置されている区域において減少させられることである。これは、熱い処理ガスから気体汚染物質を取り除く効率及び吸収液の液滴を乾燥せしめる効率を改善せしめる。
【００１５】
本発明の更に他の目的及び特徴は、下記の説明及び特許請求の範囲の記載から明らかになるであろう。
【００１６】
以下、添付図面を参照して本発明を一層詳細に述べる。
【図面の簡単な説明】
【００１７】
【図１】発電プラントの概略側面図である。
【図２】分散器の斜視図である。
【図３ａ】先行技術による噴霧乾燥式吸収器の斜視図である。
【図３ｂ】図３ａの噴霧乾燥式吸収器の平面図である。
【図４ａ】先行技術による、他の噴霧乾燥式吸収器の斜視図である。
【図４ｂ】図４ａの噴霧乾燥式吸収器の平面図である。
【図５ａ】本発明の一実施形態による噴霧乾燥式吸収器の斜視図である。
【図５ｂ】図５ａの噴霧乾燥式吸収器の平面図である。
【図６】本発明の他の実施形態による噴霧乾燥式吸収器の平面図である。
【発明を実施するための形態】
【００１８】
図１は、発電プラント１を概略的に示す側面図である。発電プラント１はボイラ２を包含し、このボイラ内で燃料、例えば石炭又は石油が燃焼される。燃料の燃焼は、煙道ガスの形の熱い処理ガスを発生する。石炭又は石油中に含まれている硫黄種は、煙道ガスの一部分を形成する二酸化硫黄を形成する。煙道ガスは、ダクト６を通してボイラ２から静電集塵器４へ進められる。静電集塵器４は煙道ガスからダスト粒子を取り除くものであり、その一例が米国特許第４，５０２，８７２号明細書に記載されている。
【００１９】
ダスト粒子のほとんどが取り除かれた煙道ガスは、ダクト１０を通して噴霧乾燥式吸収器８へ進められる。噴霧乾燥式吸収器８は、噴霧乾燥室１２と４つの分散器１４,１６,１８,２０とを包含し、これらの分散器は噴霧乾燥室１２の天井部２２に取り付けられている。各分散器１４,１６,１８,２０は噴霧器２４を包含する。噴霧器２４はいわゆる回転噴霧式であり、その中で高速で回転するホイールが吸収液を噴霧する。この点に関し、例示的であって限定するものではないが、例えば、上記米国特許第４，７５５，３６６号明細書に記載されている回転式噴霧器を参照することができ、この参照は本発明にとって有益であるので、上記米国特許の教示は本明細書に含まれている。しかしながら、噴霧器２４へ圧力の下で供給された吸収液を噴霧する他の代替的な噴霧ノズルを噴霧器２４として用いることができるものである。
【００２０】
各分散器１４,１６,１８,２０には、流れ指向装置２６,２８,３０,３２が設けられている。分配ダクト３４は、ダクト１０を通して供給された煙道ガスの一部分を４つの分散器１４,１６,１８,２０の各々に供給する。４つの流れ指向装置２６,２８,３０,３２の各々は、それぞれ関連する煙道ガスの一部分をそれぞれ関連する分散器１４,１６,１８,２０の噴霧器２４のまわりに回転運動させる。
【００２１】
後で詳細に述べるように、上述した４つの分散器のうちの３つ、すなわち、第１，第２及び第３の分散器１４，１６，１８は、噴霧乾燥室の外周部から実質的に同じ距離を置いて配置されていると共に、中央の分散器２０である第４の分散器２０を取り囲んでいる外周の分散器である。
【００２２】
タンク３６は、分配パイプ３８を通して吸収液の流れを各噴霧器２４へ供給し、吸収液は例えば石灰石スラリーから成る。
【００２３】
各分散器１４,１６,１８,２０の作用により、煙道ガスに吸収液が混合される。その結果、吸収液は煙道ガスから気体汚染物質、例えば二酸化硫黄ＳＯ２を吸収する。同時に、吸収液は熱い処理ガスにより乾燥させられ、その結果、乾燥最終製品は噴霧乾燥室１２の底部４０に収集される。この乾燥製品は、処分のためにパイプ４２を通して取り除かれる。気体汚染物質のほとんどが取り除かれた煙道ガスは、噴霧乾燥室１２内の分散器１４,１６,１８,２０から実質的に垂直に下向きに進み、それから、ダクト４４を通して噴霧乾燥式吸収器８を去る。煙道ガスは、ダクト４４を通して、例えば静電集塵器である第２のフィルター４６へ進まされる。代替的に、第２のフィルターはバッグハウス又は他の任意の適当な濾過装置とすることができる。第２のフィルター４６は、残っているダスト粒子のほとんど及び吸収液の乾燥残留物を取り除く。清浄にされた煙道ガスは、それから、清浄ガスダクト４８を通して周囲空気中へ放出される。
【００２４】
図２は、分散器１４を一層詳細に示す。分散器１４は、その下側から斜めに見て示されている。分散器１４の流れ指向装置２６は、複数の外側案内ベーン５０と、複数の内側案内ベーン５２とを包含する。図１に示されている分配ダクト３４から分散器１４に入った煙道ガスの一部分は、図２に矢印Ｆにより示されているように、大体下向きの方向である。案内ベーン５０，５２のすべては、煙道ガスＦの一部分が噴霧器２４のまわりに回転し始めるように煙道ガスＦの一部分を付勢せしめるような方向を有する。矢印ＦＣＣは、案内ベーン５０，５２がどのようにして煙道ガスを偏向させ、これにより、噴霧器２４のまわりに下向きに螺旋状に回転する煙道ガスの流れが生成されるかを示す。このような回転煙道ガス流れは、煙道ガスを噴霧器２４により噴霧された吸収液と混合させるために非常に効率が良いことがわかっている。このような煙道ガス流れの回転方向ＦＣＣは、図１に示されている噴霧乾燥室１２の頂部から見たときに、反時計方向である。図１に示されている流れ指向装置２８,３０,３２は流れ指向装置２６と同じ設計を有する。
【００２５】
図３ａは、先行技術による噴霧乾燥式吸収器１０８を示す。この噴霧乾燥式吸収器１０８は、噴霧乾燥室１１２と、天井部１２２とを有する。噴霧乾燥式吸収器１０８は、その天井部１２２に、３つの分散器１１４，１１６，１１８が設けられている。これらの分散器１１４，１１６，１１８の各々は、図２を参照して上述した分散器１４と同じ設計を有し、煙道ガスのそれぞれの一部分を反時計方向ＦＣＣへ回転運動させる。
【００２６】
図３ｂは、上述した先行技術の設計による噴霧乾燥式吸収器１０８を上方から見て示す。図３ａ及び図３ｂに示されている先行技術の噴霧乾燥式吸収器１０８の作用は、吸収液が噴霧乾燥室１１２の壁に、例えば図３ｂに示されている位置Ｘのところで衝突するという重大な問題を生じせしめることがわかっている。吸収液が噴霧乾燥室の壁に衝突すると、大きな凝集体が生成され、噴霧乾燥式吸収器１０８の作動に対して問題を生じせしめる。更に、吸収液の大きな液滴が噴霧乾燥式吸収器１０８の作動中に生成されることがわかっている。このような大きな液滴は、乾燥せしめるために長い時間を必要とする。したがって、完全に乾燥されなかった液滴は、最終的には噴霧乾燥室１１２の底部又は下流のフィルターに至り、作動上の問題を生じせしめる。上記米国特許第４，５１９，９９０号明細書の教示にしたがい、噴霧乾燥室１１２の外周部から噴射されるバイパスガスを使用することは、これらの問題をある程度減少せしめることができるが、しかし、噴霧乾燥式吸収器のコストを増大せしめる。
【００２７】
図４ａは、先行技術の他の設計による噴霧乾燥式吸収器２０８を示す。この噴霧乾燥式吸収器２０８は、噴霧乾燥室２１２と、天井部２２２とを有する。噴霧乾燥式吸収器２０８は、その天井部２２２に、４つの分散器２１４，２１６，２１８，２２０が設けられている。これらの分散器２１４，２１６，２１８，２２０の各々は、図２を参照して上述した分散器１４と同じ設計を有し、煙道ガスのそれぞれの一部分を反時計方向ＦＣＣへ回転運動させる。
【００２８】
図４ｂは、上述した先行技術の他の設計による噴霧乾燥式吸収器２０８を上方から見て示す。図４ａ及び図４ｂに示されている先行技術の噴霧乾燥式吸収器２０８の作用は、吸収液が噴霧乾燥室２１２の壁に、例えば図４ｂに示されている位置Ｘのところで衝突するという重大な問題を生じせしめることがわかっている。図３ａ及び図３ｂを参照して上述したと同じように、吸収液が噴霧乾燥室２１２の壁に衝突すると、噴霧乾燥器２０８に作動上の問題を生じせしめる。上記米国特許第４，５１９，９９０号明細書の教示にしたがい、噴霧乾燥室２１２の外周部から噴射されるバイパスガスを使用することは、このような作動上の問題を減少するのにある程度効果があることは明らかであるが、しかし噴霧乾燥式吸収器２０８のコストの著しい増大を生じせしめる。
【００２９】
図５ａは本発明の一実施形態による噴霧乾燥式吸収器８を示し、この噴霧乾燥式吸収器８は図１及び図２を参照してすでに示されている。図５ａにおいて、噴霧乾燥室１２の天井部２２に４つの分散器１４，１６，１８，２０をどのようにして、その３つの外周の分散器１４，１６，１８が１つの中央の分散器２０を取り囲むようにして設けられているかが明確に示されている。
【００３０】
図５ｂは、上から見た噴霧乾燥式吸収器８を示す。３つの外周の分散器１４，１６，１８の各々は、噴霧乾燥室１２の外周部Ｐから実質的に同じ距離Ｄを置いて配置されている。３つの外周の分散器１４，１６，１８の各々の流れ指向装置（これらの流れ指向装置は図１に符号２６，２８，３０で示されていると共に図２に詳細に示されている）は、これらの分散器１４，１６，１８の各々を通過する煙道ガスのそれぞれの一部分を、上から見たときに反時計方向ＦＣＣへ回転運動させる。更に、中央の分散器２０は噴霧乾燥室１２の天井部２２の中心部Ｃに配置されている。この中央の分散器２０は、外周の分散器１４，１６，１８と同じ設計であり、図１に示されている流れ指向装置３２を有し、この流れ指向装置３２は図２に示されている流れ指向装置２６と同じ設計である。したがって、中央の分散器２０はこの分散器２０に供給された煙道ガスの一部分を、上から見たときに反時計方向ＦＣＣへ回転運動させる。
【００３１】
中央の分散器２０が４つの分散器１４，１６，１８，２０のすべてからの煙道ガスの流れを安定せしめ、各隣接し合う２つの分散器（１４，１６，１８，２０）から生じる液滴間の衝突の回数が非常に減少されることを提供することは明らかである。また、噴霧乾燥室１２内の煙道ガスの全体の回転が減少されることも明らかである。その結果、大きな液滴の生成は図３ａ−３ｂ及び図４ａ−４ｂに示されている先行技術におけるそれと比較して減少される。更に、図５ａ及び図５ｂに示されている噴霧乾燥式吸収器８において、分散器１４，１６，１８，２０により生じる煙道ガスの回転運動はその運動時間が長く持続されることは明らかであり、その結果、吸収液の液滴と煙道ガスとの接触が改善され、このような改善された接触により、また、気体汚染物質の取り除きが改善されていると共に、液滴の乾燥時間が短縮される。更に、大きな凝集体が噴霧乾燥室１２の壁に生成される危険も、先行技術の設計と比較して減少されることも明らかである。
【００３２】
したがって、図５ａ及び図５ｂに示されている設計は、上記米国特許第４，５１９，９９０号明細書に示されている型式の高価なバイパス装置を必要とすることなしに、４つの分散器を先行技術と比較して全く異なる方法で配置することにより、気体汚染物質の取り除きを改善し、また凝集体が噴霧乾燥室１２の壁に生成される危険を少なくすることを提供する。
【００３３】
図６は、本発明の他の実施形態による噴霧乾燥式吸収器３０８を、その頂部から見て示す。この噴霧乾燥式吸収器３０８は、上述した噴霧乾燥式吸収器８とは次の点で異にする。すなわち、この噴霧乾燥式吸収器３０８は、その天井部３２２に６つの分散器３１４，３１５，３１６，３１７，３１８，３２０が設けられ、そのうちの５つの分散器が噴霧乾燥室３１２の天井部３２２の中心部Ｃに配置されている、１つの中央の分散器３２０を取り囲んでいる外周の分散器３１４，３１５，３１６，３１７，３１８である。５つの外周の分散器３１４，３１５，３１６，３１７，３１８の各々は、噴霧乾燥室３１２の外周部Ｐから実質的に同じ距離Ｄを置いて配置されている。
【００３４】
更に、中央の分散器３２０は、図２を参照して上述した分散器１４と同じ型式であり、この分散器３２０に供給された煙道ガスの一部分を反時計方向ＦＣＣへ回転運動させる。５つの外周の分散器３１４，３１５，３１６，３１７，３１８は、しかしながら、異なる設計を有する。この相違は、案内ベーンが図２に示した分散器１４の流れ指向装置２６の案内ベーン５０，５２と比較して反対の方向を有することにある。これらの外周の分散器３１４，３１５，３１６，３１７，３１８は、したがって、分散器１４と同様な機能を有するが、しかし、煙道ガスを図６に矢印ＦＣによって示されている時計方向へ回転運動させるように付勢せしめる。したがって、中央の分散器３２０は、この分散器３２０に供給された煙道ガスを反時計方向ＦＣＣ、すなわち、外周の分散器３１４，３１５，３１６，３１７，３１８に供給された煙道ガスの回転運動の時計方向ＦＣと反対である方向ＦＣＣへ回転運動させる。中央の分散器３２０に供給された煙道ガスが外周の分散器３１４，３１５，３１６，３１７，３１８に供給された煙道ガスと比較して反対の方向へ回転することは、６つの分散器３１４，３１５，３１６，３１７，３１８，３２０のすべてからの煙道ガスの流れを更に安定せしめるという利点を加える。
【００３５】
上述した実施形態の種々の変形が特許請求の範囲に記載した範囲内で行うことができることを認識されるであろう。
【００３６】
上述した説明では、噴霧乾燥式吸収器８，３０８は４つの分散器１４，１６，１８，２０又は６つの分散器３１４，３１５，３１６，３１７，３１８，３２０を備えていると述べられている。しかしながら、同一の効果は、１つの分散器が噴霧乾燥室の天井部の中心部に配置されていると共に、他の複数の分散器がこの中央の分散器を取り囲んでいる外周の分散器であるならば、どんな数の分散器でも達成できることを認識されるであろう。好適には、噴霧乾燥式吸収器は総計４つ，５つ，６つ，７つ又は８つの分散器を備えることができる。したがって、好適な噴霧乾燥式吸収器は３つ〜７つの外周の分散器と１つの中央の分散器とを有する。
【００３７】
また、上述した説明では、１つの中央の分散器と３つの外周の分散器１４，１６，１８、すなわち、総計４つの分散器を有する噴霧乾燥式吸収器８が、図４ａ及び図４ｂを参照して示した先行技術の噴霧乾燥式吸収器２０８及び４つの分散器を有する他の先行技術の噴霧乾燥式吸収器と比較して、煙道ガスの洗浄効率、好ましくない固体堆積物の生成などに関して改善すると述べられている。しかしながら、噴霧乾燥式吸収器８は、また、図３ａ及び図３ｂを参照して上述した先行技術の噴霧乾燥式吸収器１０８と関連して改善できるものである。したがって、先行技術の噴霧乾燥式吸収器１０８の３つの分散器を噴霧乾燥式吸収器８の４つの分散器と置換することにより、問題を少なくして、煙道ガスの洗浄効率を改善することができ、また、上記米国特許第４，５１９，９９０号明細書に記載されている噴射ダクトを通してのガスのバイパスが必要とされないことから、コストを一層減少せしめることができる。
【００３８】
図２は、本発明において用いることができる一型式の分散器１４を示す。しかしながら、他の型式の流れ指向装置、他の型式の噴霧器などを有する分散器から成る他の型式の分散器を同様に用いることができることを認識されるであろう。流れ指向装置が煙道ガスを例えば図２に矢印ＦＣＣによって示すように回転運動させることは、好ましいものである。
【００３９】
以上本発明を種々の好適な実施形態を参照して詳述したけれども、本発明の範囲から逸脱することなしに、種々の変形を行うことができると共に、特定の要素のために等価物を代用できることは当業者には理解されるであろう。更に、本発明の本質的な範囲を逸脱することなしに、種々の変更が特定の状態又は材料を本発明の教示に適応させるために行うことができるものである。したがって、本発明は本発明を実施するためになされた最適な形態として上述された特定の実施形態に限定されるものではなく、本発明は特許請求の範囲に記載した範囲内にあるすべての実施形態を包含するものである。更に、用語“第１の”，“第２の”などの使用はいかなる順番又は重要さを示すものではなく、これらの用語“第１の”，“第２の”などはひとつの要素を他の要素から区別するために用いられているものである。
【図１】
2011527232.tif 000003
【図２】
2011527232.tif 000004
【図３ａ】
2011527232.tif 000005
【図３ｂ】
2011527232.tif 000006
【図４ａ】
2011527232.tif 000007
【図４ｂ】
2011527232.tif 000008
【図５ａ】
2011527232.tif 000009
【図５ｂ】
2011527232.tif 000010
【図６】
2011527232.tif 000011
【国際調査報告】
2011527232.tif 000012
2011527232.tif 000013
2011527232.tif 000014